(57)【要約】      （修正有）【課題】意図しない損傷を抑制できると共に使用性に優れる箱体に組み立てられる箱用シートを提供する。【解決手段】箱用シートは、１枚のシート材から形成され、トレイ状の箱体に組み立て可能な箱用シートであって、略方形状の底面パネル２と、底面パネルの対向する一対の第２側縁から延出し、上方に折り曲げられる一対の第２側面パネル８と、第２側面パネルの先端縁から延出し、底面パネルと平行に折り曲げられる一対の第２接続パネルと、第２接続パネルの先端縁の幅方向中央部分から延出し、第２側面パネルの内面側に折り返される一対の第２折り返しパネル１０と、第２接続パネルの幅方向両端部から延出する各一対の挿入片１１とを備え、第２接続パネルが、スリット９ｃにより、第２折り返しパネルと接続される中央部９ａと、挿入片が延出する一対の側部９ｂとに分断されている。【選択図】図５
0003225060.tif 000002
【実用新案登録請求の範囲】
【請求項１】
１枚のシート材から形成され、トレイ状の箱体に組み立て可能な箱用シートであって、
略方形状の底面パネルと、
上記底面パネルの対向する一対の第１側縁から延出し、上方に折り曲げられる一対の第１側面パネルと、
上記一対の第１側面パネルの先端縁から延出し、上記底面パネルと平行に折り曲げられ、幅方向両側に一対の第１係止孔を有する一対の第１接続パネルと、
上記一対の第１側面パネルの幅方向両側の側縁から延出する各一対の第１折り込み片と、
上記一対の第１接続パネルの先端縁から延出し、上記第１側面パネルの内面側に折り返される一対の第１折り返しパネルと、
上記一対の第１折り返しパネルの幅方向両側の側縁から延出する各一対の第２折り込み片と、
上記底面パネルの対向する一対の第２側縁から延出し、上方に折り曲げられる一対の第２側面パネルと、
上記一対の第２側面パネルの先端縁から延出し、上記底面パネルと平行に折り曲げられる一対の第２接続パネルと、
上記一対の第２接続パネルの先端縁の幅方向中央部分から延出し、上記第１折り込み片及び上記第２折り込み片を上記第２側面パネルとの間に挟み込んだ状態で上記第２側面パネルの内面側に折り返される一対の第２折り返しパネルと、
上記一対の第２接続パネルの幅方向両端部から延出し、上記第１係止孔に挿入される各一対の挿入片と
を備え、
上記第２接続パネルが、上記第２折り返しパネルと接続される中央部と、上記挿入片が延出する一対の側部とに分断されている箱用シート。
【請求項２】
上記中央部及び上記一対の側部が、上記第２接続パネルの延出方向に延びるスリットによって分断されている請求項１に記載の箱用シート。
【請求項３】
上記中央部が長方形状であり、
上記一対の側部が、上記中央部側から幅方向外側に向けて長さが漸増する概略三角形状である請求項２に記載の箱用シート。
【請求項４】
上記一対の第１折り返しパネルの先端縁から延出し、上記底面パネルと平行に折り曲げられ、上記底面パネルに貼着される一対の貼着パネルをさらに備える請求項１、請求項２又は請求項３に記載の箱用シート。
【請求項５】
上記一対の第１折り返しパネルが先端縁に係合突起を有し、
上記底面パネルが、上記係合突起が挿入される第２係止孔を有する請求項１、請求項２又は請求項３に記載の箱用シート。
【考案の詳細な説明】
【技術分野】
【０００１】
本考案は、箱用シートに関する。
【背景技術】
【０００２】
物品の保管、運搬用ケースとして、略方形状の底板及びこの底板の側縁から立設される４つの側板を備え、段ボールシートから組み立てられるトレイ状の箱体が用いられている（実用新案登録第３１２３１４２号公報参照）。
【０００３】
この箱体は、底板の対向する一対の側縁から立設される一対の短辺側側板と、この短辺側側板の先端縁から延出し、底板と平行に折り曲げられる支持板とを有する。また、この箱体は、底板の対向する他対の側縁から立設される一対の長辺側側板と、この長辺側側板の先端縁から延出し、幅方向両側に係止孔を有し、底板と平行に折り曲げられる接続板と、この接続板の先端縁から延出し、長辺側側板の内面側に折り重ねられる補助側板とを有する。上記長辺側側板及び補助側板の側縁からは、組立状態で短辺側側板の内側に折り重ねられるフラップが延出している。この箱体は、上記支持板の両側縁から一対の扇形の爪が延出しており、この一対の扇型の爪がそれぞれ上記係止孔に挿入されている。
【先行技術文献】
【特許文献】
【０００４】
【特許文献１】実用新案登録第３１２３１４２号公報
【考案の概要】
【考案が解決しようとする課題】
【０００５】
上記箱体は、長辺側側板及び補助側板の側縁から延出するフラップが短辺側側板の内面に重ねられた状態で保たれている。そのため、この箱体は、上記フラップが意図せず揺動することがあり、上記フラップが損傷したり物品を収容する妨げとなったりするおそれがある。
【０００６】
本考案は、このような不都合に鑑みてなされたものであり、意図しない損傷を抑制できると共に使用性に優れる箱体に組み立てられる箱用シートの提供を課題とする。
【課題を解決するための手段】
【０００７】
上記課題を解決するためになされた本考案に係る箱用シートは、１枚のシート材から形成され、トレイ状の箱体に組み立て可能な箱用シートであって、略方形状の底面パネルと、上記底面パネルの対向する一対の第１側縁から延出し、上方に折り曲げられる一対の第１側面パネルと、上記一対の第１側面パネルの先端縁から延出し、上記底面パネルと平行に折り曲げられ、幅方向両側に一対の第１係止孔を有する一対の第１接続パネルと、上記一対の第１側面パネルの幅方向両側の側縁から延出する各一対の第１折り込み片と、上記一対の第１接続パネルの先端縁から延出し、上記第１側面パネルの内面側に折り返される一対の第１折り返しパネルと、上記一対の第１折り返しパネルの幅方向両側の側縁から延出する各一対の第２折り込み片と、上記底面パネルの対向する一対の第２側縁から延出し、上方に折り曲げられる一対の第２側面パネルと、上記一対の第２側面パネルの先端縁から延出し、上記底面パネルと平行に折り曲げられる一対の第２接続パネルと、上記一対の第２接続パネルの先端縁の幅方向中央部分から延出し、上記第１折り込み片及び上記第２折り込み片を上記第２側面パネルとの間に挟み込んだ状態で上記第２側面パネルの内面側に折り返される一対の第２折り返しパネルと、上記一対の第２接続パネルの幅方向両端部から延出し、上記第１係止孔に挿入される各一対の挿入片とを備え、上記第２接続パネルが、上記第２折り返しパネルと接続される中央部と、上記挿入片が延出する一対の側部とに分断されている。
【考案の効果】
【０００８】
本考案に係る箱用シートは、意図しない損傷を抑制できると共に使用性に優れる箱体に組み立てられる。
【図面の簡単な説明】
【０００９】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の模式的平面図である。
【図４】図４は、図２の箱体の組立手順を示す模式的平面図である。
【図５】図５は、図２の箱体の図４の後の組立手順を示す模式的斜視図である。
【図６】図６は、図１の箱用シートとは異なる実施形態に係る箱用シートを示す模式的平面図である。
【図７】図７は、図６の箱用シートを組み立ててなる箱体を示す模式的斜視図である。
【考案を実施するための形態】
【００１０】
［本考案の実施形態の説明］
最初に本考案の実施態様を列記して説明する。
【００１１】
本考案に係る箱用シートは、１枚のシート材から形成され、トレイ状の箱体に組み立て可能な箱用シートであって、略方形状の底面パネルと、上記底面パネルの対向する一対の第１側縁から延出し、上方に折り曲げられる一対の第１側面パネルと、上記一対の第１側面パネルの先端縁から延出し、上記底面パネルと平行に折り曲げられ、幅方向両側に一対の第１係止孔を有する一対の第１接続パネルと、上記一対の第１側面パネルの幅方向両側の側縁から延出する各一対の第１折り込み片と、上記一対の第１接続パネルの先端縁から延出し、上記第１側面パネルの内面側に折り返される一対の第１折り返しパネルと、上記一対の第１折り返しパネルの幅方向両側の側縁から延出する各一対の第２折り込み片と、上記底面パネルの対向する一対の第２側縁から延出し、上方に折り曲げられる一対の第２側面パネルと、上記一対の第２側面パネルの先端縁から延出し、上記底面パネルと平行に折り曲げられる一対の第２接続パネルと、上記一対の第２接続パネルの先端縁の幅方向中央部分から延出し、上記第１折り込み片及び上記第２折り込み片を上記第２側面パネルとの間に挟み込んだ状態で上記第２側面パネルの内面側に折り返される一対の第２折り返しパネルと、上記一対の第２接続パネルの幅方向両端部から延出し、上記第１係止孔に挿入される各一対の挿入片とを備え、上記第２接続パネルが、上記第２折り返しパネルと接続される中央部と、上記挿入片が延出する一対の側部とに分断されている。
【００１２】
当該箱用シートは、上記一対の第２折り返しパネルが、上記第１折り込み片及び上記第２折り込み片を上記第２側面パネルとの間に挟み込んだ状態で上記第２側面パネルの内面側に折り返されるので、上記第１折り込み片及び上記第２折り込み片の揺動が防止される。当該箱用シートは、上記第２接続パネルが、上記第２折り返しパネルと接続される中央部と、上記挿入片と接続される一対の側部とに分断されているので、上記第２折り返しパネルを折り返す際等における上記中央部と上記側部との間の意図しない破断を防止することができ、ひいてはこの破断部分を起点として破断領域が広がることを防止することができる。従って、当該箱用シートから組み立てられる箱体は、意図しない損傷を抑制できると共に使用性に優れる。
【００１３】
上記中央部及び上記一対の側部が、上記第２接続パネルの延出方向に延びるスリットによって分断されているとよい。このように、上記中央部及び上記一対の側部が、上記第２接続パネルの延出方向に延びるスリットによって分断されていることによって、上記中央部と上記側部との間の意図しない破断を容易に防止することができる。
【００１４】
上記中央部が長方形状であり、上記一対の側部が、上記中央部側から幅方向外側に向けて長さが漸増する概略三角形状であるとよい。このように、上記中央部が長方形状であり、上記一対の側部が、上記中央部側から幅方向外側に向けて長さが漸増する概略三角形状であることによって、上記中央部と上記側部との間の意図しない破断を防止しつつ、展開状態において上記一対の側部の間に設けられる上記第２折り返しパネルの幅を大きくして、箱体の強度を高めやすい。
【００１５】
当該箱用シートは、上記一対の第１折り返しパネルの先端縁から延出し、上記底面パネルと平行に折り曲げられ、上記底面パネルに貼着される一対の貼着パネルをさらに備えるとよい。当該箱用シートは、上記一対の第１折り返しパネルの先端縁から延出し、上記底面パネルと平行に折り曲げられ、上記底面パネルに貼着される一対の貼着パネルをさらに備えることによって、取扱性が向上すると共に、箱体への組み立てが容易となる。
【００１６】
当該箱用シートは、上記一対の第１折り返しパネルが先端縁に係合突起を有し、上記底面パネルが、上記係合突起が挿入される第２係止孔を有していてもよい。当該箱用シートは、上記一対の第１折り返しパネルが先端縁に係合突起を有し、上記底面パネルが、上記係合突起が挿入される第２係止孔を有することによって、接着剤等の貼着材料を用いることなく、箱体に組み立てることができる。
【００１７】
なお、本考案において、「上」とは、箱用シートを組み立ててなる箱体の想定される一般的な使用態様における「上」を意味する。また、「内」とは、箱体における「内」を意味する。
【００１８】
［本考案の実施形態の詳細］
以下、適宜図面を参照しつつ、本考案の実施の形態を詳説する。
【００１９】
［第一実施形態］
＜箱用シート＞
図１の箱用シート１は、１枚のシート材から形成される。当該箱用シート１は、トレイ状の箱体に組み立て可能であり、具体的には図２及び図３の箱体２１に組み立てられる。当該箱用シート１は、略方形状の底面パネル２と、底面パネル２の対向する一対の第１側縁２ａから延出し、上方に折り曲げられる一対の第１側面パネル３と、一対の第１側面パネル３の先端縁から延出し、底面パネル２と平行に折り曲げられ、幅方向両側に一対の第１係止孔４ａを有する一対の第１接続パネル４と、一対の第１側面パネル３の幅方向両側の側縁から延出する各一対の第１折り込み片５と、一対の第１接続パネル４の先端縁から延出し、第１側面パネル３の内面側に折り返される一対の第１折り返しパネル６と、一対の第１折り返しパネル６の幅方向両側の側縁から延出する各一対の第２折り込み片７と、底面パネル２の対向する一対の第２側縁２ｂから延出し、上方に折り曲げられる一対の第２側面パネル８と、一対の第２側面パネル８の先端縁から延出し、底面パネル２と平行に折り曲げられる一対の第２接続パネル９と、一対の第２接続パネル９の先端縁の幅方向中央部分から延出し、第１折り込み片５及び第２折り込み片７を第２側面パネル８との間に挟み込んだ状態で第２側面パネル８の内面側に折り返される一対の第２折り返しパネル１０と、一対の第２接続パネル９の幅方向両端部から延出し、第１係止孔４ａに挿入される各一対の挿入片１１とを備える。また、当該箱用シート１は、一対の第１折り返しパネル６の先端縁から延出し、底面パネル２と平行に折り曲げられ、底面パネル２に貼着される一対の貼着パネル１２を備える。当該箱用シート１は、第２接続パネル９が、第２折り返しパネル１０と接続される中央部９ａと、挿入片１１が延出する一対の側部９ｂとに分断されている。なお、「略方形状」とは、完全な方形に限らず、部分的に切欠きや凹凸を有する形状を含む。また、図１において、太い実線はシートを切断して形成される切断線を示し、細い実線はシートの内面を筋押しして形成される罫線を示す。
【００２０】
図４及び図５を参照して、当該箱用シート１を箱体２１に組み立てる手順について説明する。
【００２１】
当該箱用シート１を箱体２１に組み立てるに当たっては、まず図４に示すように、一対の第１側面パネル３との境界線で一対の第１接続パネル４を内側に折り返した状態で、一対の貼着パネル１２の下面と底面パネル２の上面とを接着剤等によって予め貼着しておく。この状態で、一対の第１側面パネル３及びこの一対の側面パネル３の内面側に重ねられている一対の第１折り返しパネル６を上方に立ち上げる。これにより、図５に示す箱体２１の対向する一対の第１側壁２２が組み立てられる。
【００２２】
次に、一対の第１側面パネル３の幅方向両側の側縁から延出する各一対の第１折り込み片５、及び一対の第１折り返しパネル６の幅方向両側の側縁から延出する各一対の第２折り込み片７を内側に略９０°折り曲げる。そして、一対の第２側面パネル８を上方に立ち上げたうえ、第２接続パネル９の中央部９ａ及び第２折り返しパネル１０をそれぞれ略９０°折り曲げて、第１折り込み片５及び第２折り込み片７を第２側面パネル８と第２折り返しパネル１０との間に挟み込む。続いて、第２折り返しパネル１０の先端縁に形成される後述の突片１０ｃを底面パネル２に形成される後述の孔２ｃに挿入する。これにより、箱体２１の対向する一対の第２側壁２３が組み立てられる。また、これにより、箱体２１における第１折り込み片５及び第２折り込み片７の揺動が確実に防止される。
【００２３】
続いて、図５に示すように、一対の第２接続パネル９の側部９ｂから延出する挿入片１１を第１係止孔４ａに挿入する。これにより、図２及び図３の箱体２１が組み立てられる。
【００２４】
当該箱用シート１に用いられるシート材としては、当該箱用シート１を組み立ててなる箱体２１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、製造コストが低く、かつ箱体２１への組み立てが容易な段ボールシートが特に好ましい。当該箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２５】
（底面パネル）
底面パネル２は、略方形状であり、具体的には長方形状である。底面パネル２は、図１に示すように、長手方向に延びる一対の第１側縁２ａと、一対の第１側縁２ａと垂直な短手方向に延びる一対の第２側縁２ｂとを有する。底面パネル２は、長手方向の両端部に一対の孔２ｃを有する。孔２ｃは、第２側面パネル８の基端縁を一端として第２側縁２ｂの中央部に設けられている。
【００２６】
（第１側面パネル）
第１側面パネル３は、延出方向長さに対して幅が大きい略長方形状である。第１側面パネル３の幅は、第１側縁２ａの長さと略等しい。
【００２７】
（第１接続パネル）
第１接続パネル４は、第１側面パネル３と同一幅で、第１側面パネル３の先端縁の全領域から延出している。第１接続パネル４は、延出方向長さに対して幅が大きい略長方形状である。第１接続パネル４の延出方向長さは、シート厚さの２倍程度であり、例えば７ｍｍ以上１５ｍｍ以下とされる。第１接続パネル４は、幅方向の中央から両側に向けて等距離の位置に一対の第１係止孔４ａを有する。第１係止孔４ａは、第１接続パネル４を幅方向に分断するよう設けられている。第１係止孔４ａの基端縁は第１側面パネル３との境界線を越えて第１側面パネル３側に突出していてもよい。また、第１接続パネル４は、幅方向に延び、一方の端部が第１係止孔４ａに接続されるスリット４ｂを有していてもよい。第１接続パネル４がスリット４ｂを有することで、箱体２１組立時における第１係止孔４ａへの挿入片１１の挿入が容易となる。
【００２８】
（第１折り返しパネル）
第１折り返しパネル６は、第１接続パネル４と同一幅で、第１接続パネル４の先端縁の全領域から延出している。第１折り返しパネル６は、延出方向長さに対して幅が大きい略長方形状である。第１折り返しパネル６の延出方向長さは、第１側面パネル３の延出方向長さと略等しい。
【００２９】
（第２側面パネル）
第２側面パネル８は、延出方向長さに対して幅が大きい略長方形状である。第２側面パネル８の幅は、第２側縁２ｂの長さと略等しい。第２側面パネル８の延出方向長さは、第１側面パネル３の延出方向長さと略等しい。
【００３０】
（第２接続パネル）
第２接続パネル９は、第２側面パネル８と略同一幅で、第２側面パネル８の先端縁の全領域から延出している。上述のように、第２接続パネル９は、中央部９ａと、中央部９ａの幅方向両側に配置される一対の側部９ｂとに分断されている。中央部９ａ及び一対の側部９ｂは、第２接続パネル９の延出方向に延びるスリット９ｃによって分断されている。これにより、当該箱用シート１は、中央部９ａと側部９ｂとがスリット９ｃ以外の部分で意図せず破断することを容易に防止することができる。より詳しく説明すると、当該箱用シート１は、中央部９ａと側部９ｂとがスリット９ｃによって分断されていることで、図５に示すように、第２折り返しパネル１０を第２側面パネル８の内面側に折り返して底面パネル２と係合したうえ、側部９ｂを底面パネル２と平行に折り曲げ、挿入片１１を第１係止孔４ａに挿入する際に、中央部９ａと側部９ｂとの境界部分の意図しない破断を容易に防止することができる。
【００３１】
中央部９ａは、長方形状である。中央部９ａの延出方向長さは、第１折り込み片５及び第２折り込み片７を第２側面パネル８と第２折り返しパネル１０との間に挟み込めるようシート厚さの２倍以上とすることができ、例えば１０ｍｍ以上１５ｍｍ以下とされる。第２接続パネル９全体の幅に対する中央部９ａの幅の比としては、例えば０．３以上０．５以下とすることができる。
【００３２】
一対の側部９ｂは、中央部９ａ側から幅方向外側（第２接続パネル９全体における幅方向の外側）に向けて延出方向長さが漸増する概略三角形状である。当該箱用シート１は、中央部９ａが長方形状であり、かつ一対の側部９ｂが概略三角形状であることによって、中央部９ａと側部９ｂとの間の意図しない破断を防止しやすい。
【００３３】
一対の側部９ｂの先端縁は、幅方向の外側に向けて第２側縁２ｂと略平行に延びる第１部分９ｄと、第１部分９ｄから連続し、底面パネル２の第２側縁２ｂに対して第１部分９ｄよりも大きく傾斜した第２部分９ｅとを有する。
【００３４】
（第２折り返しパネル）
第２折り返しパネル１０は、第２接続パネル９の中央部９ａの先端縁の全領域から延出している。第２折り返しパネル１０の延出方向長さは、第２側面パネル８の延出方向長さと略等しい。第２折り返しパネル１０は、展開状態でスリットによって第２接続パネル９の一対の側部９ｂと分断されており、一対の側部９ｂと相補的形状に形成されている。つまり、第２折り返しパネル１０の基端縁は、中央部９ａとの境界線の外側に、第２側縁２ｂと略平行な上述の第１部分９ｄに対応する第１部分１０ａと、第１部分１０ａから連続し、第２側縁２ｂに対して第１部分１０ａよりも大きく傾斜した上述の第２部分９ｅに対応する第２部分１０ｂとを有する。当該箱用シート１は、第２折り返しパネル１０が第１部分１０ａを有し、一対の側部９ｂがこの第１部分１０ａに対応する第１部分９ｄを有することで、図２に示すように、組立状態で、第２折り返しパネル１０の第１部分１０ａによって側部９ｂを支持することができる。これにより、側部９ｂが底面パネル２と平行に安定的に保持され、箱体２１を所望の形状に保ちやすい。また、第２折り返しパネル１０が一対の側部９ｂと相補的形状に形成されることで、第２折り返しパネル１０の幅を大きくして、箱体２１の強度を高めやすい。
【００３５】
第２折り返しパネル１０は、先端縁に底面パネル２の孔２ｃに挿入される突片１０ｃを有する。突片１０ｃは、幅に対して延出方向長さが小さい長方形状である。突片１０ｃの延出方向長さはシート厚さ程度とすることができる。
【００３６】
（挿入片）
挿入片１１は、側部９ｂの側縁から延出している。挿入片１１は、折り曲げた際に第１係止孔４ａに挿入しやすいよう、底面パネル２の第１側縁２ａの延長線よりも内側で側部９ｂに接続されている。
【００３７】
（貼着パネル）
貼着パネル１２は、延出方向長さに対して幅が大きい略長方形状である。貼着パネル１２の延出方向長さとしては、例えば１０ｍｍ以上３０ｍｍ以下程度とすることができる。当該箱用シート１は、一対の貼着パネル１２を備えることで、底面パネル２に貼着パネル１２を貼着した状態で取り扱うことができ、取扱性を高めることができる。また、この構成によると、当該箱用シート１は、一対の第１側面パネル３及び一対の第１折り返しパネル６を起立させるだけで一対の第１側壁２２を組み立てることができるので、箱体２１への組み立てが容易となる。
【００３８】
＜利点＞
当該箱用シート１は、一対の第２折り返しパネル１０が、第１折り込み片５及び第２折り込み片７を第２側面パネル８との間に挟み込んだ状態で第２側面パネル８の内面側に折り返されるので、第１折り込み片５及び第２折り込み片７の揺動が防止される。当該箱用シート１は、第２接続パネル９が、第２折り返しパネル１０と接続される中央部９ａと、挿入片１１と接続される一対の側部９ｂとに分断されているので、第２折り返しパネル１０を折り返す際等における中央部９ａと側部９ｂとの間の意図しない破断を防止することができ、ひいてはこの破断部分を起点として破断領域が広がることを防止することができる。従って、当該箱用シート１から組み立てられる箱体２１は、意図しない損傷を抑制できると共に使用性に優れる。
【００３９】
［第二実施形態］
＜箱用シート＞
図６の箱用シート３１は、１枚のシート材から形成される。当該箱用シート３１は、トレイ状の箱体に組み立て可能であり、具体的には図７の箱体５１に組み立てられる。当該箱用シート３１は、略方形状の底面パネル３２と、底面パネル３２の対向する一対の第１側縁３２ａから延出し、上方に折り曲げられる一対の第１側面パネル３３と、一対の第１側面パネル３３の先端縁から延出し、底面パネル３２と平行に折り曲げられ、幅方向両側に一対の第１係止孔３４ａを有する一対の第１接続パネル３４と、一対の第１側面パネル３３の幅方向両側の側縁から延出する各一対の第１折り込み片３５と、一対の第１接続パネル３４の先端縁から延出し、第１側面パネル３３の内面側に折り返される一対の第１折り返しパネル３６と、一対の第１折り返しパネル３６の幅方向両側の側縁から延出する各一対の第２折り込み片３７と、底面パネル３２の対向する一対の第２側縁３２ｂから延出し、上方に折り曲げられる一対の第２側面パネル３８と、一対の第２側面パネル３８の先端縁から延出し、底面パネル３２と平行に折り曲げられる一対の第２接続パネル３９と、一対の第２接続パネル３９の先端縁の幅方向中央部分から延出し、第１折り込み片３５及び第２折り込み片３７を第２側面パネル３８との間に挟み込んだ状態で第２側面パネル３８の内面側に折り返される一対の第２折り返しパネル４０と、一対の第２接続パネル３９の幅方向両端部から延出し、第１係止孔３４ａに挿入される各一対の挿入片４１とを備える。当該箱用シート３１は、第２接続パネル３９が、第２折り返しパネル４０と接続される中央部３９ａと、挿入片４１が延出する一対の側部３９ｂとに分断されている。
【００４０】
当該箱用シート３１は、一対の第１折り返しパネル３６が先端縁に係合突起３６ａを有し、底面パネル３２が、係合突起３６ａが挿入される第２係止孔３２ｃを有する以外、各部の構成は図１の箱用シート１と同様とすることができる。当該箱用シート３１は、一対の第１折り返しパネル３６が先端縁に係合突起３６ａを有し、底面パネル３２が、係合突起３６ａが挿入される第２係止孔３２ｃを有することで、第１側面パネル３３、第１接続パネル３４及び第１折り返しパネル３６をそれぞれ略９０°折り曲げていき、第１折り返しパネル３６に形成される係合突起３６ａを底面パネル３２に形成される第２係止孔３２ｃに挿入することで、接着剤等の貼着材料を用いることなく、一対の第１側壁４２を組み立てることができる。
【００４１】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４２】
例えば、上記第２接続パネルの中央部と一対の側部とは、スリットによって分断されていなくてもよく、上記中央部と上記一対の側部とは、互いに所定の間隔を空けて設けられていてもよい。
【００４３】
また、上記中央部及び上記一対の側部の形状は、上記実施形態の形状に限定されるものではない。例えば上記一対の側部は、矩形状、扇状等であってもよい。
【産業上の利用可能性】
【００４４】
以上のように、本考案に係る箱用シートは、意図しない損傷を抑制できると共に使用性に優れるトレイ状の箱体として好適に用いられる。
【符号の説明】
【００４５】
１，３１  箱用シート
２，３２  底面パネル
２ａ、３２ａ  第１側縁
２ｂ、３２ｂ  第２側縁
２ｃ  孔
３、３３  第１側面パネル
４、３４  第１接続パネル
４ａ、３４ａ  第１係止孔
４ｂ  スリット
５、３５  第１折り込み片
６、３６  第１折り返しパネル
７、３７  第２折り込み片
８、３８  第２側面パネル
９、３９  第２接続パネル
９ａ、３９ａ  中央部
９ｂ、３９ｂ  側部
９ｃ  スリット
９ｄ  第１部分
９ｅ  第２部分
１０、４０  第２折り返しパネル
１０ａ  第１部分
１０ｂ  第２部分
１０ｃ  突片
１１、４１  挿入片
１２  貼着パネル
２１、５１  箱体
２２、４２  第１側壁
２３  第２側壁
３２ｃ  第２係止孔
３６ａ  係合突起
【図１】
0003225060.tif 000003
【図２】
0003225060.tif 000004
【図３】
0003225060.tif 000005
【図４】
0003225060.tif 000006
【図５】
0003225060.tif 000007
【図６】
0003225060.tif 000008
【図７】
0003225060.tif 000009